(57)【要約】【課題】ゴト行為をし難い遊技機を提供すること。【解決手段】遊技球の球通路には、球送りユニットと下球皿とに繋がっているファール球通路５３が含まれ、遊技領域に到達しなかった遊技球ＹＫは、ファール球通路５３によって下球皿へ返却されるようになっており、第２糸切部Ｃ２（第２糸切部材）は、ファール球通路５３に臨むように設けられており、傾斜部５５３ｅの先端部は、遊技球ＹＫに糸状体ＩＴが接続されていると仮定した場合、遊技球ＹＫがファール球通路５３内を進行するときに、該遊技球ＹＫに接続された糸状体ＩＴを第２糸切部Ｃ２（第２糸切部材）へ案内可能に構成されている。【選択図】図１９
2018057751.tif 000002
【特許請求の範囲】
【請求項１】
遊技球の貯留部と、
遊技球を発射する発射部と、
遊技球を所定数ずつ前記発射部へ供給する供給部と、
糸状体を切断可能な切断部と、
糸状体を案内する案内部と、
遊技球が通過する球通路と、を備え、
前記球通路には、前記供給部と前記貯留部とに繋がっている特定の球通路が含まれ、遊技領域に到達しなかった遊技球は、前記特定の通路によって前記貯留部へ返却されるようになっており、
前記切断部は、前記特定の球通路に臨むように設けられており、
前記案内部は、遊技球に糸状体が接続されていると仮定した場合、遊技球が前記特定の球通路内を進行するときに、該遊技球に接続された糸状体を前記切断部へ案内可能に構成されていることを特徴とする遊技機。
【発明の詳細な説明】
【技術分野】
【０００１】
この発明は、遊技機に関するものである。
【背景技術】
【０００２】
従来、遊技機の一種であるパチンコ遊技機の分野では、糸状体を接続した遊技球を遊技領域に発射したのち、糸状体を用いて遊技領域内の遊技球を操作するゴト行為（所謂、糸吊りゴト）が知られている。このようなゴト行為を防止するため、例えば、特許文献１のようなものが提案されている。
【０００３】
特許文献１には、遊技球の発射部に切断刃を設け、遊技球が遊技領域に向かって発射されるときの勢いを利用して、遊技球に接続された糸状体を切断可能に構成された遊技機が開示されている。
【先行技術文献】
【特許文献】
【０００４】
【特許文献１】特開２０１２−１６１６０１号公報
【発明の概要】
【発明が解決しようとする課題】
【０００５】
近年では、ゴト行為がさらに巧妙化しており、従来とは異なる構成によって糸状体を切断することが期待されている。
この発明の目的は、ゴト行為をし難い遊技機を提供することである。
【課題を解決するための手段】
【０００６】
上記課題を解決する遊技機は、遊技球の貯留部と、遊技球を発射する発射部と、遊技球を所定数ずつ前記発射部へ供給する供給部と、糸状体を切断可能な切断部と、糸状体を案内する案内部と、遊技球が通過する球通路と、を備え、前記球通路には、前記供給部と前記貯留部とに繋がっている特定の球通路が含まれ、遊技領域に到達しなかった遊技球は、前記特定の通路によって前記貯留部へ返却されるようになっており、前記切断部は、前記特定の球通路に臨むように設けられており、前記案内部は、遊技球に糸状体が接続されていると仮定した場合、遊技球が前記特定の球通路内を進行するときに、該遊技球に接続された糸状体を前記切断部へ案内可能に構成されていることを要旨とする。
【発明の効果】
【０００７】
本発明によれば、ゴト行為をし難い。
【図面の簡単な説明】
【０００８】
【図１】パチンコ遊技機を模式的に示す前方斜視図。
【図２】（ａ）は、前枠体を開いた状態のパチンコ遊技機を模式的に示す前方斜視図、（ｂ）は、（ａ）の一部を拡大して示す前方斜視図。
【図３】球送りユニットを取り外した状態の中枠体を模式的に示す前方斜視図。
【図４】発射ユニットを模式的に示す前方斜視図。
【図５】球送りユニットを模式的に示す前方斜視図。
【図６】（ａ）は、球送りユニットを模式的に示す後方斜視図、（ｂ）は、（ａ）の部分拡大図、（ｃ）は、（ｂ）において矢印Ｙ３に示す方向から見たときの側面図。
【図７】分解した球送りユニットを模式的に示す前方斜視図。
【図８】球通路ユニットを模式的に示す前方斜視図。
【図９】球通路ユニットを模式的に示す後方斜視図。
【図１０】球通路ユニットを模式的に示す右側面図。
【図１１】第１通路部材を模式的に示す前方斜視図。
【図１２】第１通路部材を模式的に示す後方斜視図。
【図１３】第２通路部材を模式的に示す前方斜視図。
【図１４】第２通路部材を模式的に示す後方斜視図。
【図１５】図１０において１５−１５線で示す平面で切断したと仮定したときの断面図。
【図１６】図１０において１６−１６線で示す平面で切断したと仮定したときの断面図。
【図１７】（ａ）は、分解した第２糸切部を模式的に示す前方斜視図、（ｂ）は、分解した第２糸切部を模式的に示す後方斜視図。
【図１８】第２糸切部を模式的に示す平面図。
【図１９】糸状体の移動態様を説明するための説明図。
【発明を実施するための形態】
【０００９】
以下、パチンコ遊技機の一実施形態について説明する。
本明細書における上、下、左、右、前（表）、及び後（裏）は、遊技者から見たときの各方向を示すものとする。
【００１０】
図１に示すように、遊技機としてのパチンコ遊技機１０は、遊技枠体１１を備えている。遊技枠体１１は、外枠体２０と、中枠体３０と、前枠体４０と、を備えている。
外枠体２０について説明する。
【００１１】
外枠体２０は、遊技店などの島設備に固定される固定用の枠体である。外枠体２０は、天板２１、底板２２、左側板２３、及び右側板２４を備えており、正面視において、開口部２０ａを有する縦長の四角枠状である。本実施形態において、外枠体２０は、パチンコ遊技機１０の外郭をなしている。例えば、外枠体２０の天板２１及び底板２２は、ベニヤ板などのように釘打ちが可能な木製であり、左側板２３及び右側板２４は、アルミニウムなどの金属製であるとよい。
【００１２】
中枠体３０について説明する。
中枠体３０は、他の部材を搭載するための枠体である。以下の説明では、遊技枠体１１に搭載されている部材を搭載部材と示す。中枠体３０は、正面視において、縦長の四角枠状である。中枠体３０は、開口部２０ａの前面側において、外枠体２０に対して相対的に開放及び閉鎖が可能となるように、外枠体２０の左側板２３に軸支されている。
【００１３】
図２（ａ）及び図３に示すように、中枠体３０は、金属製の中ベース板部材３１を備えている。例えば、中ベース板部材３１は、鋼鈑をプレス加工することにより形成されている。なお、中ベース板部材３１は、一体に形成されていてもよく、複数の部品を組み合わせて形成されていてもよい。中枠体３０の中ベース板部材３１には、複数の搭載部材が組み付けられ、固定されている。ここでは、中枠体３０の搭載部材の概略について説明し、主に遊技球の流通に関する具体的な構成については後述する。
【００１４】
図２及び図３に示すように、中枠体３０は、搭載部材の１つとして、中ベース板部材３１の前面側における中央部に組み付けられた遊技盤６０を備えている。遊技盤６０は、前面側に、遊技媒体としての遊技球が流下する遊技領域６１を備えている。中枠体３０は、搭載部材の１つとして、中ベース板部材３１の前面側における下部に組み付けられた発射装置３２を備えている。発射装置３２は、遊技球を発射する発射部に相当する。中枠体３０は、図示しない払出装置から払い出された遊技球を送出する枠内払出口３３を備えている。中枠体３０は、枠内払出口３３より下流側の通路から溢れた遊技球（以下、溢れ球と示す）を払い出す枠内溢れ球口３４を備えている。枠内払出口３３及び枠内溢れ球口３４は、中枠体３０の前面側に開口している。図２に示すように、中枠体３０は、搭載部材の１つとして、遊技球を所定数ずつ発射装置３２に供給する供給部としての球送りユニット７０を備えている。
【００１５】
前枠体４０について説明する。
図１及び図２に示すように、前枠体４０は、他の部材を搭載するための枠体である。前枠体４０は、正面視において、開口部４０ａを有する縦長の四角枠状である。前枠体４０は、中枠体３０の前面側において、外枠体２０及び中枠体３０対して相対的に開放及び閉鎖が可能となるように、外枠体２０の左側板２３に軸支されている。本実施形態において、枠体３０，４０は、外枠体２０に対して相対的に開放及び閉鎖が可能であり、前枠体４０は、中枠体３０に対して相対的に開放及び閉鎖が可能である。なお、枠体３０，４０は、外枠体２０の右側板２４に軸支されていてもよい。
【００１６】
前枠体４０は、前ベース板部材４１を備えている。前ベース板部材４１は、開口部４１ａを有する縦長の四角枠状である。本実施形態において、ベース板部材４１は、金属製である。例えば、前ベース板部材４１は、鋼鈑をプレス加工することにより形成されている。なお、前ベース板部材４１は、一体に形成されていてもよく、複数の部品を組み合わせて形成されていてもよい。前枠体４０の前ベース板部材４１には、複数の搭載部材が組み付けられ、固定されている。ここでは、前枠体４０の搭載部材の概略について説明し、主に遊技球の流通に関する具体的な構成については後述する。
【００１７】
前枠体４０は、搭載部材の１つとして、前ベース板部材４１の前面側における上部に組み付けられた上部パネルユニット４２を備えている。前枠体４０は、搭載部材の１つとして、前ベース板部材４１の前面における下部に組み付けられた下部パネルユニット４３を備えている。例えば、パネルユニット４２，４３は、電球やＬＥＤなどように、図示しない発光体を内蔵している。パネルユニット４２，４３は、演出の１つとして、内蔵された発光体を点灯、点滅、及び消灯させることで所定の演出（以下、発光演出と示す）を実行する。
【００１８】
下部パネルユニット４３は、前枠体４０の開口部４０ａの下方において、前方に向かって膨らむように突出した形状である。下部パネルユニット４３は、上面側に、演出ボタン４３１ａを備えている。下部パネルユニット４３は、上面側に、玉抜きボタン４３１ｂを備えている。下部パネルユニット４３は、遊技球を貯留する上球皿４３２を備えている。上球皿４３２は、遊技球が貯留される貯留空間４３２ａを形成している。下部パネルユニット４３は、上球皿４３２の貯留空間４３２ａに開口している上払出口４３２ｂを備えている。上球皿４３２は、遊技球の貯留部に相当する。
【００１９】
下部パネルユニット４３は、上球皿４３２にある遊技球を前枠体４０の後面側へと案内する案内通路４３３を備えている。案内通路４３３は、前枠体４０の表面側から後面に貫通している。下部パネルユニット４３は、前枠体４０の後面側に、案内通路４３３の開口部である送出口４３３ａを備えている（図２に示す）。
【００２０】
下部パネルユニット４３は、遊技球を貯留する下球皿４３５を備えている。下球皿４３５は、遊技球が貯留される貯留空間４３５ａを形成している。下部パネルユニット４３は、下球皿４３５の貯留空間４３５ａに開口している第１下払出口４３５ｂを備えている。下部パネルユニット４３は、下球皿４３５の貯留空間４３５ａに開口している第２下払出口４３５ｃを備えている。下部パネルユニット４３は、前枠体４０の後面側に開口している被排出口４３６を備えている。下部パネルユニット４３は、被排出口４３６から受け入れた遊技球を下球皿４３５（第２下払出口４３５ｃ）に案内する図示しない球通路を備えている。下部パネルユニット４３は、前枠体４０の後面側に開口している機構孔４３７を備えている。
【００２１】
前枠体４０は、搭載部材の１つとして、前ベース板部材４１の前面側における左上部に組み付けられた左スピーカユニット４５と、前ベース板部材４１の前面側における右上部に組み付けられた右スピーカユニット４６と、を備えている。スピーカユニット４５，４６は、演出の１つとして、人や動物の声、効果音、及び楽曲などの音声を出力する演出（以下、音声演出と示す）を実行する。
【００２２】
前枠体４０は、搭載部材の１つとして、前ベース板部材４１の前面側における右下部に組み付けられた発射ハンドルユニット４８を備えている。発射ハンドルユニット４８は、発射ハンドル４８１を備えている。パチンコ遊技機１０では、発射ハンドル４８１の操作量（回動量）に応じた強度にて、遊技球が発射装置３２から遊技領域６１に向かって発射される。
【００２３】
前枠体４０は、搭載部材の１つとして、前ベース板部材４１の後面側に組み付けられた保護ガラスユニット４９を備えている（図１に示す）。保護ガラスユニット４９は、前枠体４０の開口部４０ａを覆っているガラス板４９ａを備えている。ガラス板４９ａは、中枠体３０に搭載された遊技盤６０の遊技領域６１を保護している。
【００２４】
図２（ａ）及び（ｂ）に示すように、前枠体４０は、搭載部材の１つとして、前ベース板部材４１の後面における左下部に組み付けられた球通路ユニット５０を備えている。詳しくは後述するが、球通路ユニット５０は、内部に複数の球通路を備えている。
【００２５】
次に、遊技盤６０について説明する。
図１及び図２（ａ）に示すように、遊技盤６０は、前面側に、正面視において略円形である遊技領域６１を備えている。遊技領域６１は、遊技盤６０の前面側を、外側レール６１１及び内側レール６１２によって区画することにより形成されている。遊技盤６０は、発射装置３２から発射された遊技球を遊技領域６１に向かって案内する案内通路６２を備えている。案内通路６２は、レール６１１，６１２の間に形成されている。内側レール６１２は、先端部に、遊技球が遊技領域６１から案内通路６２に逆流することを防止する逆流防止弁６１２ａを備えている。
【００２６】
パチンコ遊技機１０は、特別図柄表示部６３を備えている。例えば、特別図柄表示部６３は、遊技盤６０において、遊技者が視認可能な位置に設けるとよい。特別図柄表示部６３は、所定の図柄を変動表示させるとともに、最終的に特別図柄を確定停止表示させる特別図柄変動ゲームを表示する。特別図柄は、パチンコ遊技機１０において、内部的に行われる大当り抽選の結果を報知するための図柄である。大当り抽選に当選した場合には、特別図柄変動ゲームにおいて大当り図柄が導出され、その後に大当り遊技が付与される。その一方で、大当り抽選に当選しなかった場合には、特別図柄変動ゲームにおいてはずれ図柄が導出される。なお、パチンコ遊技機１０は、複数の特別図柄表示部６３を備え、各別に特別図柄変動ゲームを表示可能であってもよい。
【００２７】
パチンコ遊技機１０は、遊技領域６１の略中央に、各種の装飾が施されたセンター枠６４を備えている。センター枠６４は、開口部６４ａを備えている。パチンコ遊技機１０は、演出表示ディスプレイ６５を備えている。例えば、演出表示ディスプレイ６５は、液晶ディスプレイや有機ＥＬディスプレイなどの表示装置であってもよく、プロジェクタとスクリーンとを含んで構成された表示装置であってもよい。演出表示ディスプレイ６５は、画像が表示される表示領域６５ｒを備えている。演出表示ディスプレイ６５は、センター枠６４の開口部６４ａを介して、遊技者が表示領域６５ｒを視認可能となるように、遊技盤６０に組み付けられている。演出表示ディスプレイ６５は、演出の１つとして、所定のキャラクタや文字を模した画像（絵柄）を表示する演出（以下、表示演出と示す）を実行する。
【００２８】
本実施形態において、演出表示ディスプレイ６５が実行可能な表示演出には、演出図柄を複数列で変動表示させるとともに、最終的に演出図柄の組み合わせを導出させる演出図柄変動ゲームがある。演出図柄は、キャラクタや模様等の装飾が施された図柄（飾り図柄）であって、表示演出を多様化させるためのものである。
【００２９】
パチンコ遊技機１０は、遊技領域６１に開口している２つの始動入賞口６６を備えている。本実施形態では、２つの始動入賞口６６の何れかに入球した遊技球が、図示しないセンサで検知されると、特別図柄変動ゲームの始動条件が成立し得るとともに、賞球の払出条件が成立する。なお、始動入賞口６６は、１つであってもよい。また、パチンコ遊技機１０は、一部の始動入賞口６６を開閉する開閉部材を備えていてもよい。パチンコ遊技機１０は、遊技領域６１に開口している大入賞口６７を備えている。本実施形態では、大入賞口６７に入球した遊技球が図示しないセンサで検知されると、賞球の払出条件が成立する。パチンコ遊技機１０は、遊技領域６１において、大入賞口６７を開閉する可変部材６７ａを備えている。
【００３０】
パチンコ遊技機１０は、アウト口６８を備えている。例えば、アウト口６８は、遊技領域６１の下端部において、遊技領域６１に開口している。例えば、パチンコ遊技機１０は、複数のアウト口を備えていてもよい。パチンコ遊技機１０は、上述した入賞口６６，６７とは異なる入賞口を備えていてもよい。本明細書において、「入賞」は、遊技球が入賞口に入球することである。また、パチンコ遊技機１０は、釘や風車など、遊技領域６１を流下する遊技球の挙動に変化を与えるための部材を備えている。
【００３１】
以下、本実施形態のパチンコ遊技機１０について、遊技球の流通に関する具体的な構造について詳細に説明する。
次に、中枠体３０の発射装置３２について説明する。
【００３２】
図４に示すように、発射装置３２は、左右方向に沿って延びている長方形板状のベース部３２１を備えている。発射装置３２は、ベース部３２１の前面から前方に向かって突出しており、且つ、ベース部３２１の略中央部分から左上方へ向かって相互に平行となるように延びている壁として、上ガイド壁３２２と下ガイド壁３２３とを備えている。下ガイド壁３２３は、位置を変更不能となるようにベース部３２１に固定されている固定壁部３２３ａと、位置を変更可能となるようにベース部３２１に支持されている調節壁部３２３ｂと、を備えている。調節壁部３２３ｂは、上ガイド壁３２２に近接する方向と上ガイド壁３２２から離間する方向とに位置を変更できる。
【００３３】
本実施形態において、２つのガイド壁３２２，３２３に挟まれた部分は、ベース部３２１の前面側において、ベース部３２１の略中央部分から左上方へ向かって延びている発射通路３２４となる。発射装置３２の単体においては、発射通路３２４は、前方に開放された通路である。発射通路３２４を挟んで対向しているガイド壁３２２，３２３の離間距離は、好ましくは遊技球の直径の１倍を超えて２倍未満の長さであり、より好ましくは遊技球の直径よりも僅かに大きい長さである。
【００３４】
上ガイド壁３２２は、基端部（右下端部）に、上ガイド壁３２２から下方に向かって突出している球止め片３２２ａを備えている。球止め片３２２ａと、下ガイド壁３２３の基端部（右下端部）とは離間しているとともに、その離間距離は、遊技球の直径の１倍未満である。したがって、発射通路３２４において、遊技球は、球止め片３２２ａによって下方への移動が規制されている。発射通路３２４のうち、球止め片３２２ａがある基端部側の空間は、遊技球が打撃される球打部３２４ａとなる。本実施形態において、発射通路３２４のうち、球止め片３２２ａがある基端部（球打部３２４ａ）の前方部分は、球送りユニット７０から遊技球が供給される被供給口３２５である。
【００３５】
発射装置３２は、遊技球を打撃するハンマー部材３２６を備えている。ハンマー部材３２６は、上下方向に沿って延びている棒状の部材であり、一方の端部（本実施形態では下端部）に、遊技球を打撃する打撃部３２６ａを備えている。ハンマー部材３２６は、ベース部３２１の前面に沿った平面内において、軸部３２６ｂまわりで回動可能となるように軸支されている。ハンマー部材３２６は、打撃部３２６ａが、球止め片３２２ａと下ガイド壁３２３との隙間から発射通路３２４内に突出している打撃姿勢Ｐ２ａと、球止め片３２２ａと下ガイド壁３２３との隙間から発射通路３２４内に突出していない初期姿勢Ｐ２ｂと、に動作（回動）が可能である。発射装置３２は、バネなどの図示しない付勢手段を備えており、外力が与えられていない状態において、ハンマー部材３２６は、付勢手段の付勢力により初期姿勢Ｐ２ｂに維持される。
【００３６】
発射装置３２は、アクチュエータとしてモータ３２７を備えている。モータ３２７の出力軸は、ハンマー部材３２６の軸部３２６ｂに連結されている。例えば、モータ３２７は、ロータリーソレノイドであってもよく、プランジャー式ソレノイドであってもよく、ステッピングモータであってもよい。モータ３２７は、ハンマー部材３２６を打撃姿勢Ｐ２ａと初期姿勢Ｐ２ｂとの間で回動（動作）させる。
【００３７】
発射装置３２において、被供給口３２５から発射通路３２４内に受け入れられた遊技球は、重力によって球打部３２４ａに保持される。そして、図中において矢印Ｙ１に示すように、球打部３２４ａにある遊技球は、ハンマー部材３２６が打撃姿勢Ｐ２ａに動作されることに伴って、球打部３２４ａ内に突出する打撃部３２６ａによって打撃され、案内通路６２（遊技領域６１）へ向かって打ち出される。発射通路３２４は、発射装置３２によって発射された遊技球を遊技領域６１へ案内する。
【００３８】
図３に示すように、本実施形態において、発射装置３２の下ガイド壁３２３の上端部と、外側レール６１１の下端部とは、離間している。したがって、発射装置３２によって打ち出されたが、発射強度が不足していることによって、逆流防止弁６１２ａを通過できなかった遊技球は、図中において矢印Ｙ２で示すように、下ガイド壁３２３の上端部と、外側レール６１１の下端部との間から下方に向かって流下（落下）する。以下の説明では、下ガイド壁３２３の上端部と、外側レール６１１の下端部との隙間を、落下領域６３ａと示す。また、以下の説明では、発射装置３２によって打ち出されたが遊技領域６１に到達しなかった遊技球をファール球と示す場合がある。
【００３９】
次に、中枠体３０の球送りユニット７０について説明する。
球送りユニット７０は、発射装置３２の前面側に対して、所定の固定手段を用いて着脱が可能に組み付けられている。例えば、所定の固定手段としては、ネジ、フック、又はワンタッチリベットなどを採用できる。また、球送りユニット７０は、発射装置３２の前面側に対して着脱が可能に構成されていることに加えて、又は代えて、発射装置３２の前面側に対して開閉が可能に組み付けられていてもよい。
【００４０】
図５及び図６に示すように、球送りユニット７０は、全体として左右方向に沿って延びている四角箱状である。球送りユニット７０は、球送りベース部材７１と、球送りベース部材７１の前面側を覆っているカバー部材８５と、を備えている。カバー部材８５は、球送りベース部材７１に対して、所定の固定手段を用いて着脱が可能に組み付けられている。例えば、所定の固定手段としては、ネジやフックなどを採用できる。なお、カバー部材８５と球送りベース部材７１とは、相互に分離が不能に組み付けられていてもよい。
【００４１】
図７及び図６に示すように、球送りベース部材７１は、左右方向に沿って延びている長方形の板状である球送りベース部７２を備えている。球送りベース部材７１は、球送りベース部７２を前後方向に貫通し、且つ、球送りベース部材７１の後方に開口している供給口８２を備えている。供給口８２は、遊技球を発射装置３２の被供給口３２５へ供給するための開口部である。供給口８２は、上縁部８２ａ、下縁部８２ｂ、右縁部８２ｃ、及び左縁部８２ｄを有しており、正面視において略四角形である。上縁部８２ａが延びている方向と、左縁部８２ｄが延びている方向とは、ベース交差部８２ｅにおいて交差している（図６に示す）。
【００４２】
図７に示すように、球送りベース部材７１には、球送りベース部７２の前面から前方に向かって突出する壁によって、前方に開放されており、且つ、遊技球が一列に並んで流通する球通路が形成されている。球送りベース部材７１は、球送りベース部７２の右上部から左下方へ、左下がりで緩やかに傾斜している第１供給通路７３を備えている。球送りベース部材７１は、分岐部７６からさらに左方へ向かって延びており、且つ、供給口８２に繋がっている第２供給通路７４を備えている。球送りベース部材７１は、分岐部７６からさらに下方へ向かって延びている排出通路７５を備えている。通路７３，７４は、球送りベース部７２と、それぞれの通路を挟んで対向している壁と、によって前方に開放された状態にて形成されている。通路７３，７４を挟んで対向している壁同士の離間距離は、好ましくは遊技球の直径の１倍を超えて２倍未満であり、より好ましくは遊技球の直径より僅かに大きい。
【００４３】
球送りユニット７０は、球切り機構７７を備えている。球切り機構７７は、第１供給通路７３において一列に並んでいる遊技球の列から、所定数としての１球の遊技球を切り出すとともに、供給口８２から送出させるための機構である。球切り機構７７は、球送りベース部材７１の前面側に設けられている。
【００４４】
球切り機構７７は、球切り部材７８を備えている。球切り部材７８は、正面視において、全体として左右逆転した逆コ字型の部材である。球切り部材７８において、前後方向に沿った長さ（厚さ）は、遊技球の直径の１倍を超えて２倍未満である。球切り部材７８は、該球切り部材７８を、右端部から左端部側へ向かって四角形に切り欠くようにして形成された球切り収容部７８１を備えている。球切り収容部７８１は、１球の遊技球を収容可能な球切り収容空間７８１ａを形成している。球切り収容空間７８１ａの底面７８１ｂは、後下がりで傾斜している。
【００４５】
球切り部材７８は、上端部に、磁性体である金属片７８３を備えている。球切り部材７８は、前後方向に沿って延びている球切り軸部７８２を備えている。球切り部材７８は、球切り軸部７８２を中心として、上下方向に沿って回動が可能となるように、球送りベース部７２に組み付けられている。
【００４６】
球切り部材７８は、供給姿勢Ｐ３ａと、停止姿勢Ｐ３ｂと、に動作が可能である。供給姿勢Ｐ３ａは、球切り部材７８が下方へ向かって回動した状態であって、正面視において、球切り収容空間７８１ａと供給口８２とが整合一致した状態である。したがって、球切り収容空間７８１ａに収容されている遊技球は、球切り部材７８が供給姿勢Ｐ３ａになると、供給口８２から送出される。このとき、球切り収容部７８１の上端部は、分岐部７６に臨むようになっており、遊技球が第１供給通路７３から第２供給通路７４に流入することを規制している。
【００４７】
一方、停止姿勢Ｐ３ｂは、球切り部材７８が上方へ向かって回動した状態であって、正面視において、球切り収容空間７８１ａと供給口８２とが整合一致しない状態である。したがって、停止姿勢Ｐ３ｂにおいて、球切り収容空間７８１ａに収容されている遊技球は、供給口８２から送出されない。このとき、球切り収容空間７８１ａは、右方において分岐部７６と連通する。このため、球切り収容部７８１に遊技球が収容されていない場合、第１供給通路７３内の遊技球は、球切り収容空間７８１ａに流入する。このように、球切り部材７８は、第２供給通路７４における遊技球の流通を制御している。
【００４８】
球切り機構７７は、球切り部材７８を供給姿勢Ｐ３ａと停止姿勢Ｐ３ｂとに動作させるためのアクチュエータとして、電磁石７９を備えている。なお、電磁石７９は、ソレノイドやモータに変更してもよい。電磁石７９は、通電状態とされることで磁力を発生し、該磁力によって金属片７８３を引きあげ、これに伴って球切り部材７８を停止姿勢Ｐ３ｂに動作させる。電磁石７９は、非通電状態とされることで磁力が消失され、球切り部材７８及び遊技球の自重によって、球切り部材７８を供給姿勢Ｐ３ａに動作させる。
【００４９】
球送りユニット７０は、球抜き部材８１を備えている。球抜き部材８１は、左右方向に沿って延びている略四角箱状の本体部８１１と、本体部８１１の前面から前方に向かって延びている棒状の操作部８１２と、を備えている。球抜き部材８１は、本体部８１１の右端部に接続され、且つ、右方向に向かって延びているバネ８１３と、本体部８１１の左端部から左方に向かって延びている板状の規制部８１４と、を備えている。
【００５０】
球送りベース部材７１は、球抜き部材８１を収容し、且つ、左右方向に沿ってスライド可能に支持する収容部８０を備えている。収容部８０と分岐部７６とは連通しており、該連通している部分において、球抜き部材８１の規制部８１４は、分岐部７６に対して出没が可能である。
【００５１】
球抜き部材８１は、球送り位置Ｐ４ａと、玉抜き位置Ｐ４ｂと、に動作が可能である。球送り位置Ｐ４ａは、規制部８１４が分岐部７６に突出しており、第１供給通路７３から分岐部７６に流入した遊技球が、第２供給通路７４に流入するように案内するとともに、排出通路７５に流入しないように規制している状態である。球抜き部材８１は、外力が与えられていない状態においては、バネ８１３の付勢力によって、球送り位置Ｐ４ａに維持される。玉抜き位置Ｐ４ｂは、規制部８１４が分岐部７６に突出しておらず、第１供給通路７３から分岐部７６に流入した遊技球が、排出通路７５に流入するように案内する一方で、第２供給通路７４に流入しない状態である。
【００５２】
カバー部材８５は、後方に開口している四角箱状の部材である。カバー部材８５は、右上部において、前方に開口し、且つ、前枠体４０側の送出口４３３ａから遊技球を受け入れるための受入口８５１を備えている。カバー部材８５は、下部において、前方に開口し、且つ、球送りユニット７０（第１供給通路７３，分岐部７６）内にある遊技球を排出するための排出口８５２を備えている。カバー部材８５は、排出口８５２の右方に、前後方向に貫通し、且つ、左右方向に沿って延びている挿通孔８５６を備えている。
【００５３】
球送りベース部材７１とカバー部材８５とを組み付けた状態では、正面視において、カバー部材８５の受入口８５１と、第１供給通路７３の右上端部と、が整合一致している。球送りベース部材７１とカバー部材８５とを組み付けた状態では、正面視において、カバー部材８５の排出口８５２と、排出通路７５の下端部と、が整合一致している。
【００５４】
球送りベース部材７１の第１供給通路７３、第２供給通路７４、排出通路７５、及び分岐部７６は、カバー部材８５によって前方が閉鎖される。したがって、本実施形態において、第１供給通路７３、第２供給通路７４、排出通路７５、及び分岐部７６は、球送りベース部７２を後方の壁とし、カバー部材８５を前方の壁として形成されているともいえる。球送りベース部材７１とカバー部材８５とを組み付けた状態では、球抜き部材８１の操作部８１２がカバー部材８５の挿通孔８５６から前方に突出している。球抜き部材８１の操作部８１２は、挿通孔８５６に沿って、左右方向に移動が可能である。
【００５５】
球送りユニット７０が発射装置３２の前面側に対して取り付けられている状態では、正面視において、発射装置３２の被供給口３２５と、球送りユニット７０の供給口８２とが整合一致している。即ち、本実施形態では、球送りユニット７０が中枠体３０側に取り付けられた状態において、供給口８２と被供給口３２５とは、遊技球が通過できるように配置されるようになっている。また、球送りユニット７０（球送りベース部７２）の後面のうち、供給口８２の左上の領域７１ｂは、図中において矢印Ｙ１に示す方向に沿って延びている発射通路３２４の前方を塞いでいる壁として兼用されている（図６に示す）。
【００５６】
前枠体４０が中枠体３０に対して閉じられている状態では、正面視において、前枠体４０側にある送出口４３３ａと、球送りユニット７０の受入口８５１とが整合一致している。即ち、本実施形態では、前枠体４０が中枠体３０に対して閉じられた状態において、受入口８５１と送出口４３３ａとは、遊技球が通過できるように配置される。
【００５７】
したがって、本実施形態では、貯留空間４３２ａから案内通路４３３に受け入れられた遊技球は、案内通路４３３によって前枠体４０の後面側へと案内されるとともに、送出口４３３ａから送出される。送出口４３３ａから送出された遊技球は、球送りユニット７０の受入口８５１によって受け入れられ、球送りユニット７０の第１供給通路７３において、一列に整列する。球送りユニット７０において、第１供給通路７３内に１列に整列された遊技球は、球切り機構７７の動作によって、所定数としての１球ずつ切り出すようにして、球送りユニット７０の供給口８２から供給（送出）される。球送りユニット７０の供給口８２から供給された遊技球は、発射装置３２の被供給口３２５によって受け入れられ、球打部３２４ａに至る。その後、発射装置３２の球打部３２４ａにおいて、遊技球は、ハンマー部材３２６によって打撃され、遊技領域６１へ向かって発射されるようになっている。
【００５８】
前枠体４０が中枠体３０に対して閉鎖された状態において、球抜き部材８１の操作部８１２は、前枠体４０側の機構孔４３７に挿入されている。この状態において、球抜き部材８１の操作部８１２は、玉抜きボタン４３１ｂに連結された図示しない機構部材に接触している。そして、玉抜きボタン４３１ｂが押し込まれていない状態において、球抜き部材８１は、球送り位置Ｐ４ａに位置する。球抜き部材８１は、玉抜きボタン４３１ｂが押し込まれると、操作部８１２が上記機構部材によって右方へ移動されることによって、玉抜き位置Ｐ４ｂへと動作するようになっている。
【００５９】
前枠体４０が中枠体３０に対して閉鎖された状態では、正面視において、球送りユニット７０の排出口８５２と、前枠体４０側の被排出口４３６とが整合一致している。したがって、本実施形態では、玉抜きボタン４３１ｂの操作に伴って、球抜き部材８１が球送り位置Ｐ４ａから玉抜き位置Ｐ４ｂへと動作されると、第１供給通路７３及び分岐部７６にある遊技球が排出口８５２から排出される。そして、排出口８５２から排出された遊技球は、被排出口４３６によって受け入れられ、図示しない球通路を通過して、第２下払出口４３５ｃから下球皿４３５に返却される。
【００６０】
図６（ａ）〜（ｃ）に示すように、球送りユニット７０は、糸状体を切断可能な第１糸切部Ｃ１を備えている。以下、第１糸切部Ｃ１の構造を詳しく説明する。
球送りユニット７０は、第１糸切部材８６を備えている。第１糸切部材８６は、１枚の金属板をプレス加工して形成されている。第１糸切部材８６は、上流側縁部８６１と、反対側の下流側縁部８６２と、を備えている。上流側縁部８６１は、図中において矢印Ｙ１に示すように、発射通路３２４内での遊技球の進行方向における上流側の縁部であり、下流側縁部８６２は、発射通路３２４内での遊技球の進行方向における下流側の縁部である。上流側縁部８６１は、左右方向に沿って延びている第１縁部８６１ａと、上下方向に沿って延びている第２縁部８６１ｂと、を備えている。正面視において、第１縁部８６１ａが延びる方向と第２縁部８６１ｂが延びる方向とは、交差部８６１ｃにおいて交差している。また、縁部８６１ａ，８６１ｂは、正面視において、略Ｖ字型となるように、発射通路３２４内での遊技球の進行方向に沿って傾斜している。
【００６１】
第１糸切部材８６は、上流側縁部８６１から下流側縁部８６２側へ向かって延びている線状の切れ込み８６３を備えている。したがって、切れ込み８６３は、発射通路３２４における遊技球の進行方向に沿って延びている。好ましくは、切れ込み８６３は、上流側縁部８６１のうち交差部８６１ｃを含む部分から延びている。
【００６２】
図６（ｂ）及び（ｃ）に示すように、第１糸切部材８６は、切れ込み８６３の両側に設けられた切断刃８６４を備えている。切断刃８６４は、切れ込み８６３の一方の縁部に設けられた第１切断刃８６４ａと、切れ込み８６３の他方の縁部に設けられた第２切断刃８６４ｂと、を備えている。第２切断刃８６４ｂは、切れ込み８６３を挟んで第１切断刃８６４ａとは反対側にある。切断刃８６４ａ，８６４ｂは、発射通路３２４における遊技球の進行方向に沿って延びている。また、切断刃８６４ａ，８６４ｂの先端部（刃先）同士の離間距離は、縁部８６１から縁部８６２側へ向かって小さくなっている。切断刃８６４ａ，８６４ｂは、切れ込み８６３における下流側縁部８６２よりの端部において繋がっている。したがって、切断刃８６４は、発射通路３２４内での遊技球の進行方向における上流から下流側へ向かうほど、切断刃８６４ａ，８６４ｂの先端部（刃先）同士が接近する先細りのＶ字型である。
【００６３】
第２切断刃８６４ｂは、後方に向かって屈曲する屈曲部８６５を備えている。屈曲部８６５は、第２縁部８６１ｂに沿って延びている。したがって、第１糸切部材８６は、第１切断刃８６４ａ及び第２切断刃８６４ｂのうち、一方である第２切断刃８６４ｂを他方の切断刃の板面と直交する方向に沿って曲げることで形成されている。なお、第１糸切部材８６は、第１切断刃８６４ａを曲げて形成されていてもよく、切断刃８６４ａ，８６４ｂの両方を曲げて形成されていてもよい。
【００６４】
また、球送りベース部７２は、供給口８２の縁部から左上方に向かって切り欠くようにして形成されたスリット７２ａを備えている。したがって、スリット７２ａは、発射通路３２４における遊技球の進行方向に沿って延びている。好ましくは、スリット７２ａは、縁部８２ａ〜８２ｄのうちベース交差部８２ｅを含む角部分から延びている。本実施形態において、縁部８２ａ，８２ｄは、正面視において、略Ｖ字型となるように、発射通路３２４内での遊技球の進行方向に沿って傾斜している。
【００６５】
切れ込み８６３が延びている方向と、スリット７２ａが延びている方向とは、相互に平行又は略平行である。そして、正面視において、スリット７２ａの幅方向に沿った長さは、正面視における切断刃８６４ａ，８６４ｂの先端部（刃先）同士の離間距離に比して、長い。正面視において、スリット７２ａの長さは、切れ込み８６３の長さに比して、長い。したがって、正面視において、切れ込み８６３は、スリット７２ａに重なっている。
【００６６】
以上のように、本実施形態において第１糸切部Ｃ１は、第１糸切部材８６、球送りベース部７２のうち供給口８２の縁部８２ａ，８２ｄ、及びスリット７２ａによって構成されている。本実施形態のパチンコ遊技機１０において、糸状体ＩＴが接続されている遊技球ＹＫが発射装置３２によって発射された場合には、図中において矢印Ｙ１に示すように、遊技球ＹＫによって牽引されることに伴って、糸状体が切断刃８６４ａ，８６４ｂの間に入り込む。そして、遊技球が十分な発射強度にて発射された場合には、糸状体が切断刃８６４ａ，８６４ｂによって切断される。その一方で、遊技球が十分な発射強度にて発射されなかった場合には、糸状体が切断刃８６４ａ，８６４ｂによって切断されないことも生じ得る。
【００６７】
次に、前枠体４０の球通路ユニット５０について説明する。
最初に、球通路ユニット５０の概略について説明する。
図８〜図１０に示すように、球通路ユニット５０は、第１通路部材５５と、第２通路部材５６と、を備えている。第１通路部材５５と第２通路部材５６とは、所定の固定手段を用いて、相互に着脱が可能に組み付けられている。例えば、所定の固定手段としては、ネジやフックなどを採用できる。なお、第１通路部材５５と第２通路部材５６とは、相互に分離が不能に組み付けられていてもよい。本実施形態において、第２通路部材５６は、第１通路部材５５の後方に配置されている。
【００６８】
球通路ユニット５０は、図示しない払出装置から払い出された遊技球を枠内払出口３３から受け入れるための受入口として、払出し球受入口５１ａを備えている。払出し球受入口５１ａは、後方に向かって開口している。中枠体３０に対して前枠体４０が閉じられている状態では、正面視において、払出し球受入口５１ａと枠内払出口３３とは、遊技球が通過可能となるように整合一致している。
【００６９】
球通路ユニット５０は、溢れ球を枠内溢れ球口３４から受け入れるための受入口として、溢れ球受入口５２ａを備えている。溢れ球受入口５２ａは、後方に向かって開口している。中枠体３０に対して前枠体４０が閉じられている状態では、正面視において、溢れ球受入口５２ａと枠内溢れ球口３４とは、遊技球が通過可能となるように整合一致している。
【００７０】
球通路ユニット５０は、ファール球を受け入れるための受入口として、ファール球受入口５３ａを備えている。ファール球受入口５３ａは、上方に向かって開口している。中枠体３０に対して前枠体４０が閉じられている状態では、ファール球受入口５３ａは、落下領域６３ａの直下に位置し、且つ、平面視において、ファール球受入口５３ａと落下領域６３ａとは、遊技球が通過可能となるように整合一致している。即ち、落下領域６３ａから落下した遊技球は、ファール球受入口５３ａによって受け入れられる。
【００７１】
球通路ユニット５０は、遊技球を上払出口４３２ｂに送出するための上球送出口５１ｂを備えている。上球送出口５１ｂは、前方に向かって開口している。前枠体４０に対して球通路ユニット５０を組み付けた状態では、正面視において、上球送出口５１ｂと上払出口４３２ｂとは、遊技球が通過可能となるように整合一致している。
【００７２】
球通路ユニット５０は、遊技球を第１下払出口４３５ｂに送出するための下球送出口５２ｂを備えている。下球送出口５２ｂは、前方に向かって開口している。前枠体４０に対して球通路ユニット５０を組み付けた状態では、正面視において、下球送出口５２ｂと第１下払出口４３５ｂとは、遊技球が通過可能となるように整合一致している。
【００７３】
球通路ユニット５０には、第１通路部材５５と第２通路部材５６とを組み合わせることによって、払出し球通路５１、溢れ球通路５２、及びファール球通路５３が設けられている。払出し球通路５１は、払出し球受入口５１ａと上球送出口５１ｂとを繋いでいる通路である。球通路ユニット５０において、払出し球受入口５１ａによって受け入れられた遊技球は、払出し球通路５１を通過し、上球送出口５１ｂから上球皿４３２（上払出口４３２ｂ）に到達する。
【００７４】
溢れ球通路５２は、溢れ球受入口５２ａと下球送出口５２ｂとを繋いでいる通路である。球通路ユニット５０において、溢れ球受入口５２ａによって受け入れられた遊技球は、溢れ球通路５２を通過し、下球送出口５２ｂから下球皿４３５（下払出口４３５ｂ）に到達する。
【００７５】
ファール球通路５３は、ファール球受入口５３ａと下球送出口５２ｂとに繋がっている通路である。即ち、本実施形態において、ファール球通路５３は、発射通路３２４と下球皿４３５とに繋がっており、遊技領域６１に到達しなかった遊技球をファール球として下球皿４３５に返却するための通路である。即ち、本実施形態のファール球通路５３は、球送りユニット７０と下球皿４３５とに繋がっている特定の球通路に相当する。球通路ユニット５０において、ファール球受入口５３ａによって受け入れられた遊技球は、ファール球通路５３を通過し、下球送出口５２ｂから下球皿４３５（下払出口４３５ｂ）に到達する。本実施形態において、溢れ球通路５２とファール球通路５３とは、下球送出口５２ｂに至る迄の下流側において共通化されている。
【００７６】
以下、球通路ユニット５０を詳細に説明する。
最初に、溢れ球通路５２に関する構造について説明する。
図１１及び図１２に示すように、第１通路部材５５は、左右方向に沿って延びている略四角板状の後壁５５１を備えている。第１通路部材５５は、後壁５５１の前面から前方に向かって突出している下壁５５２を備えている。下壁５５２は、全体として後壁５５１の左上縁部から右下縁部へ向かって、右下がりで緩やかに下るように延びている。第１通路部材５５は、下壁５５２の上方において、後壁５５１の前面から前方に向かって突出している上壁５５３を備えている。上壁５５３は、全体として後壁５５１の左上縁部から右下縁部へ向かって、右下がりで緩やかに下るように延びている。上壁５５３と下壁５５２とは、相互に平行又は略平行である。後壁５５１は、上壁５５３及び下壁５５２の右端部側において、前方へ向かって湾曲している湾曲部５５１ａを備えている。
【００７７】
図１３及び図１４に示すように、第２通路部材５６は、左右方向に沿って延びている板状の前壁５６１を備えている。第２通路部材５６は、前壁５６１の右下部に、前壁５６１を前後方向に貫通しており、且つ、前方に向かって開口している下球送出口５２ｂを備えている。
【００７８】
図８〜図１４に示すように、溢れ球通路５２は、第１通路部材５５の後壁５５１、第１通路部材５５の下壁５５２、第１通路部材５５の上壁５５３、及び第２通路部材５６の前壁５６１によって囲まれた空間として、球通路ユニット５０の左上端部から右下端部へ延びており、且つ、右下がりで緩やかに傾斜している通路として形成されている。図１１において矢印Ｙ４ａ〜Ｙ４ｃに示すように、溢れ球受入口５２ａから受け入れられた遊技球は、右下方へ向かって流下するとともに、湾曲部５５１ａによって、進行方向が前方へ向かう方向に変更される。そして、遊技球は、図１３において矢印Ｙ４ｄに示すように、下球送出口５２ｂから送出される。
【００７９】
次に、払出し球通路５１に関する構造について説明する。
図１１及び図１２に示すように、第１通路部材５５の上壁５５３は、左上端部に、前方傾斜部５５３ａを備えている。前方傾斜部５５３ａの上面は、前下がりで緩やかに下るように延びている前方傾斜面５５３ｂである。上壁５５３は、前方傾斜面５５３ｂの右端部において、上方に向かって延びている内壁５５３ｃを備えている。
【００８０】
図１３及び図１４に示すように、第２通路部材５６は、前壁５６１の左上端部において、前壁５６１を前後方向に貫通している上球送出口５１ｂを備えている。第２通路部材５６は、上球送出口５１ｂの上方において、前壁５６１から後方に向かって延びている天壁５６２を備えている。第２通路部材５６は、上球送出口５１ｂの右方において、前壁５６１から後方に向かって延びている右壁５６３を備えている。第１通路部材５５と第２通路部材５６とを組み付けた状態において、右壁５６３は、内壁５５３ｃよりも右側（外側）に配置される。第２通路部材５６は、左右方向における天壁５６２のほぼ中央であって、天壁５６２の下面から下方に向かって延びている仕切り壁５６４を備えている（図１４に示す）。
【００８１】
図８〜図１４に示すように、払出し球通路５１は、第１通路部材５５の前方傾斜部５５３ａ、第１通路部材５５の内壁５５３ｃ、第２通路部材５６の天壁５６２、及び第２通路部材５６の仕切り壁５６４によって囲まれた空間として、前後方向に沿って延びており、且つ、前下がりで緩やかに傾斜している通路として形成されている。払出し球受入口５１ａは、第１通路部材５５の前方傾斜部５５３ａ、第１通路部材５５の内壁５５３ｃ、第２通路部材５６の天壁５６２、及び第２通路部材５６の仕切り壁５６４によって囲まれるようにして形成されている。図８〜図１０において矢印Ｙ５ａ，Ｙ５ｂに示すように、払出し球受入口５１ａから受け入れられた遊技球は、前方へ向かって流下するとともに、上球送出口５１ｂから送出される。
【００８２】
次に、ファール球通路５３に関する構造について説明する。
ここで、ファール球通路５３の概略について説明する。
図１１及び図１４に示すように、本実施形態において、ファール球通路５３は、第１通路部材５５と第２通路部材５６とに跨るように形成されており、全体として、下方へ下りながら、右回りで略螺旋状に延びている通路である。ファール球通路５３は、第１通路部材５５側に形成されている部分であって、ファール球受入口５３ａから最初に遊技球を受け入れる第１通路部５３１を備えている。第１通路部５３１は、左右方向に沿って延びているとともに、底面５３１ａが右下がり且つ前下がりで緩やかに傾斜している通路である。第１通路部５３１は、受け入れた遊技球を右下方に向かって案内する。
【００８３】
ファール球通路５３は、第２通路部材５６側に形成されている部分であって、第１通路部５３１から遊技球が流入可能に構成された第２通路部５３２を備えている。第２通路部５３２は、第１通路部５３１の前方において、左右方向に沿って延びているとともに、底面５３２ａが左下がりで緩やかに傾斜している通路である。第２通路部５３２は、第１通路部５３１から受け入れた遊技球を左下方に向かって案内する。
【００８４】
ファール球通路５３は、第２通路部材５６側に形成されている部分であって、第２通路部５３２から遊技球が流入可能に構成された第３通路部５３３を備えている。第３通路部５３３は、後方に向かって屈曲しているとともに、底面５３３ｂが後下がりで緩やかに傾斜している通路である。第３通路部５３３は、第２通路部５３２から受け入れた遊技球を後方に向かって案内する。
【００８５】
第３通路部５３３は、該第３通路部５３３の後端部において、溢れ球通路５２に開口している。溢れ球通路５２における第３通路部５３３の開口部を、連結口５３３ａと示す。本実施形態の球通路ユニット５０において、第３通路部５３３を通過した遊技球は、溢れ球通路５２に流入するようになっている。
【００８６】
したがって、溢れ球通路５２のうち連結口５３３ａよりも下流側は、第１通路部材５５側に形成されている部分であって、第３通路部５３３から遊技球が流入可能に構成された第４通路部５３４として兼用されている。第４通路部５３４は、連結口５３３ａから右方向に向かって延びているとともに、底面５３４ａが右下がりで緩やかに傾斜している通路である。第４通路部５３４は、第３通路部５３３から受け入れた遊技球を右方に向かって案内する。
【００８７】
また、溢れ球通路５２のうち連結口５３３ａよりも下流側は、第１通路部材５５側に形成されている部分であって、第４通路部５３４から遊技球が流入可能に構成された第５通路部５３５として兼用されている。第５通路部５３５は、前方に向かって屈曲しているとともに、底面５３５ａが前下がりで緩やかに傾斜している通路である。第５通路部５３５は、第４通路部５３４から受け入れた遊技球を前方に向かって案内する。第５通路部５３５は、該第５通路部５３５の前端部において、球通路ユニット５０（第２通路部材５６）の前面側に下球送出口５２ｂとして開口している。
【００８８】
次に、ファール球通路５３に関する構造について説明する。
第１通路部５３１に関する構造について説明する。
図１１に示すように、第１通路部材５５の上壁５５３は、左右方向に沿って延びており、且つ下方に向かって湾曲している湾曲部５５３ｄを備えている。湾曲部５５３ｄの上面は、下方に向かって湾曲している湾曲面である。第１通路部材５５の上壁５５３は、湾曲部５５３ｄの右端部に繋がっている部分であって、右前下がりで傾斜している平板状の傾斜部５５３ｅを備えている。傾斜部５５３ｅの上面は、右前下がりで傾斜している傾斜面である。傾斜部５５３ｅは、前端部から後方に向かって切り欠くように形成された凹部５５３ｆを備えている。球通路ユニット５０は、上壁５５３の右端部から上方に向かって延びている右壁５５３ｇを備えている。右壁５５３ｇの後端部と後壁５５１とは繋がっている。
【００８９】
本実施形態において、第１通路部５３１は、後壁５５１、上壁５５３の湾曲部５５３ｄ、上壁５５３の傾斜部５５３ｅ、及び右壁５５３ｇによって囲まれた空間として、左右方向に沿って延びており、且つ右前下がりで緩やかに傾斜している部分として形成されている。即ち、第１通路部５３１の底面５３１ａは、湾曲部５５３ｄの上面、及び傾斜部５５３ｅの上面によって形成されている。第１通路部５３１は、第１通路部５３１の右端部において、右壁５５３ｇによって前方に屈曲している。また、第１通路部５３１は、前方に壁となる部分が存在しておらず、前方に向かって開放されている。
【００９０】
第２通路部５３２及び第３通路部５３３に関する構造について説明する。
図１４に示すように、第２通路部材５６は、下球送出口５２ｂの上部において、前壁５６１から前方に向かって膨らむように突出している膨出部５６５を備えている。膨出部５６５は、前壁５６５ａ、上壁５６５ｂ、下壁５６５ｃ、右壁５６５ｄ、及び左壁５６５ｅを備えており、全体として左右方向に沿って延びている四角箱状の部分である。下壁５６５ｃの上面は、全体として左下がりで緩やかに傾斜しているとともに、左壁５６５ｅと繋がっている左端部においては、後下がりで緩やかに傾斜している。
【００９１】
第２通路部５３２は、膨出部５６５によって囲まれた空間として、左右方向に沿って延びており、且つ、左下がりで緩やかに傾斜している部分として形成されている。即ち、第２通路部５３２の底面５３２ａは、下壁５６５ｃの上面によって形成されている。また、第２通路部５３２は、後方に壁となる部分が存在しておらず、後方に向かって開放されている。即ち、第１通路部５３１の前端と第２通路部５３２の後端とは、左右方向における略全体にわたって、前後方向に相互に連通している。
【００９２】
図１５及び図１６に示すように、上下方向において、下壁５６５ｃの上面のうち右端部は、傾斜部５５３ｅの上面のうち右端部と同じ又は略同じ高さにある。その一方で、下壁５６５ｃの上面と傾斜部５５３ｅの上面とは、下壁５６５ｃが左下がりで傾斜し、且つ傾斜部５５３ｅが左上がりで傾斜していることに伴って、左方へ向かうほど相互に離間し、段差が生じるようになっている。したがって、傾斜部５５３ｅの前端部（面）は、第２通路部５３２に流入した遊技球が第１通路部５３１へ逆流しないようにガイドするガイド部として把握することができる。
【００９３】
また、正面視（背面視）において、第２通路部材５６側の膨出部５６５における下壁５６５ｃの上面と、第１通路部材５５側の上壁５５３における傾斜部５５３ｅの下面とは、左端部において上下方向に最も離間し、右方に向かうほど近接している。即ち、本実施形態では、膨出部５６５における下壁５６５ｃと、傾斜部５５３ｅと、の間には、左方に向かって開口するとともに右方へ向かって延びている隙間５７が形成されている。
【００９４】
図１５及び図１６において矢印Ｙ４ｂや矢印Ｙ７ｅに示すように、第４通路部５３４（溢れ球通路５２）において、遊技球は、右方へ向かって流下することから、隙間５７は、第４通路部５３４における遊技球の進行方向に沿って延びているといえる。そして、隙間５７は、上流から下流側へ向かうほど、幅が狭くなっている先細りのＶ字型である。
【００９５】
また、図１４に示すように、第３通路部５３３は、膨出部５６５によって囲まれた空間として、後方に向かって屈曲しており、且つ、後下がりで緩やかに傾斜している部分として形成されている。即ち、第３通路部５３３の底面５３３ｂは、下壁５６５ｃの上面のうち左端部によって形成されている。第２通路部５３２の左端と第３通路部５３３の右端とは、左右方向に相互に連通している。また、第３通路部５３３は、後方に壁となる部分が存在しておらず、連結口５３３ａとして溢れ球通路５２に開口している。また、連結口５３３ａは、第４通路部５３４（溢れ球通路５２）の底面５３４ａから上方に離間した位置に設けられている。
【００９６】
第４通路部５３４に関する構造について説明する。
第４通路部５３４は、第１通路部材５５の後壁５５１、第１通路部材５５側の上壁５５３における傾斜部５５３ｅ、第１通路部材５５側の下壁５５２、及び第２通路部材５６の前壁５６１によって囲まれた空間として、左右方向に沿って延びており、且つ、右下がりで緩やかに傾斜している部分として形成されている。即ち、第４通路部５３４の底面５３４ａは、第１通路部材５５側の下壁５５２の上面によって形成されている。第４通路部５３４の左上端部における前端と、第３通路部５３３の後端（連結口５３３ａ）とは、前後方向に相互に連通している。
【００９７】
第５通路部５３５に関する構造について説明する。
第５通路部５３５は、第１通路部材５５側の後壁５５１における湾曲部５５１ａ、第１通路部材５５側の上壁５５３における傾斜部５５３ｅ、及び第１通路部材５５側の下壁５５２によって囲まれた空間として、前方へ向かって屈曲しており、且つ、前下がりで緩やかに傾斜している部分として形成されている。即ち、第５通路部５３５の底面５３５ａは、第１通路部材５５側の下壁５５２の上面によって形成されている。第５通路部５３５の左端と、第４通路部５３４の右端とは、左右方向に相互に連通している。
【００９８】
球通路ユニット５０は、糸状体を切断可能な第２糸切部Ｃ２を備えている。
本実施形態において、第２糸切部Ｃ２は、糸状体を切断可能な切断部としての第２糸切部材９１と、第２糸切部材９１を収容している糸切収容部９２と、第２糸切部材９１を糸切収容部９２内に固定する固定部材９３と、を備えている。
【００９９】
第２糸切部材９１について説明する。
図１７（ａ）及び（ｂ）に示すように、第２糸切部材９１は、１枚の金属板をプレス加工して形成されている。第２糸切部材９１は、全体として、左右方向に沿って延びている四角板状である。第２糸切部材９１は、上流側縁部９１１と、反対側の下流側縁部９１２と、を備えている。上流側縁部９１１は、図中において矢印Ｙ４ｄ，Ｙ７ｆに示すように、第５通路部５３５内での遊技球の進行方向における上流側の縁部であり、下流側縁部９１２は、第５通路部５３５内での遊技球の進行方向における下流側の縁部である。上流側縁部９１１は、一方の縁部に相当し、下流側縁部９１２は、他方の縁部に相当する。
【０１００】
第２糸切部材９１は、上流側縁部９１１から下流側縁部９１２側へ向かって延びている線状の切れ込み９１３を備えている。したがって、切れ込み９１３は、図中において矢印Ｙ４ｄ，Ｙ７ｆに示すように、第５通路部５３５内での遊技球の進行方向に沿って延びている。本実施形態において、切れ込み９１３は、一方の縁部から他方の縁部側へ向かって延びている隙間に相当する。
【０１０１】
第２糸切部材９１は、切れ込み９１３の両側に設けられた切断刃９１４を備えている。切断刃９１４には、切れ込み９１３の一方の縁部に設けられた第１切断刃９１４ａと、切れ込み９１３の他方の縁部に設けられた第２切断刃９１４ｂと、がある。第２切断刃９１４ｂは、切れ込み９１３を挟んで第１切断刃９１４ａとは反対側にある。切断刃９１４ａ，９１４ｂは、第５通路部５３５内での遊技球の進行方向に沿って延在している。本実施形態において、矢印Ｙ４ｄ，Ｙ７ｆに示す、第５通路部５３５内での遊技球の進行方向は、所定の方向に相当する。
【０１０２】
切断刃９１４ａ，９１４ｂの先端部（刃先）同士の離間距離は、遊技球の直径の１倍未満であって、所定の糸状体の直径（太さ）より大きい。また、切断刃９１４ａ，９１４ｂの先端部（刃先）同士の離間距離は、上流側縁部９１１から下流側縁部９１２側へ向かって小さくなっている。切断刃９１４ａ，９１４ｂは、切れ込み９１３における下流側縁部９１２よりの端部において繋がっている。したがって、切断刃９１４は、第５通路部５３５内での遊技球の進行方向における上流から下流側へ向かうほど、切断刃９１４ａ，９１４ｂの先端部（刃先）同士が接近する先細りのＶ字型である。
【０１０３】
第２切断刃９１４ｂは、上方に向かって屈曲する屈曲部９１５を備えている。屈曲部９１５は、縁部９１１，９１２に沿って延びている。したがって、第２糸切部材９１は、第１切断刃９１４ａ及び第２切断刃９１４ｂのうち、一方である第２切断刃９１４ｂを他方の切断刃の板面と直交する方向に沿って曲げることで形成されている。なお、第２糸切部材９１は、第１切断刃９１４ａを曲げて形成されていてもよく、切断刃９１４ａ，９１４ｂの両方を曲げて形成されていてもよい。
【０１０４】
図１８に示すように、第２糸切部材９１は、第１切断刃９１４ａにおける上流側縁部９１１のうち切れ込み９１３側の角部を、上流側縁部９１１及び切れ込み９１３に対して斜めに切り落とすようにして形成された左案内部９１１ａを備えている。第２糸切部材９１は、第２切断刃９１４ｂにおける上流側縁部９１１のうち切れ込み９１３側の角部を、上流側縁部９１１及び切れ込み９１３に対して斜めに切り落とすようにして形成された右案内部９１１ｂを備えている。
【０１０５】
平面視において、左案内部９１１ａが延びている方向と、右案内部９１１ｂが延びている方向とは、交差部９１１ｃにおいて交差している。正面視において、案内部９１１ａ，９１１ｂは、第５通路部５３５内での遊技球の進行方向における上流から下流側へ向かうほど相互に接近する先細りのＶ字型に配置されている。上述した切れ込み９１３は、上流側縁部９１１のうち交差部９１１ｃを含む部分から延びているといえる。
【０１０６】
糸切収容部９２について説明する。
図１７（ａ）及び（ｂ）に示すように、本実施形態の糸切収容部９２は、膨出部５６５の下壁５６５ｃと一体に形成されている。膨出部５６５の下壁５６５ｃは、下壁５６５ｃの前端部（前端面）５６５ｃ１に開口し、且つ、下壁５６５ｃの内部を、該下壁５６５ｃの前端部５６５ｃ１から後端部５６５ｃ２側に向かってくり抜くようにして形成された略四角箱状の収容部９２１を備えている。収容部９２１は、第２糸切部材９１を収容するための収容空間９２１ａを形成している。
【０１０７】
図１８に示すように、膨出部５６５の下壁５６５ｃは、一方の縁部としての後端部５６５ｃ２から、他方の縁部としての前端部（前端面）５６５ｃ１側へ向かって切り欠くようにして形成されたスリット９２２を備えている。スリット９２２は、下壁５６５ｃのうち、内部に収容部９２１が形成された部分を厚さ方向に貫通している。ここで、下壁５６５ｃの後端部５６５ｃ２は、図中において矢印Ｙ４ｄ，Ｙ７ｆに示すように、第５通路部５３５内での遊技球の進行方向における上流側の端部であり、下壁５６５ｃの前端部５６５ｃ１は、第５通路部５３５内での遊技球の進行方向における下流側の端部である。したがって、スリット９２２は、第５通路部５３５内での遊技球の進行方向に沿って延びている。
【０１０８】
スリット９２２を挟んで相互に向かい合う下壁５６５ｃの縁部５６５ｃ３，５６５ｃ３の離間距離（スリット９２２の幅）は、遊技球の直径の１倍未満であって、所定の糸状体の直径（太さ）よりも長い。また、スリット９２２を挟んで相互に向かい合う下壁５６５ｃの縁部５６５ｃ３，５６５ｃ３は、第５通路部５３５内での遊技球の進行方向における上流から下流側へ向かうほど相互に接近する先細りのＶ字型に配置されている。したがって、本実施形態のスリット９２２は、第５通路部５３５内での遊技球の進行方向（所定の方向）における一方の縁部から他方の縁部側に延在している開口部に相当する。
【０１０９】
膨出部５６５の下壁５６５ｃは、後端部５６５ｃ２のうちスリット９２２の右側部分に、後方に向かって突出している四角板状の突出片５６５ｃ４を備えている。突出片５６５ｃ４の左側面と、スリット９２２における左側の内面（右側の縁部５６５ｃ３の先端面）とは、連続する平面を形成している。また、膨出部５６５の下壁５６５ｃは、後端部５６５ｃ２のうちスリット９２２の左側部分に、当該部分を斜めに切り落とすようにして形成された誘導面５６５ｃ５を備えている。誘導面５６５ｃ５は、後下がりに傾斜しており、且つ、右方へ向かうほど後方から前方へ向かうように傾斜している。
【０１１０】
収容部９２１は、該収容部９２１の底面のうちスリット９２２の右側部分に、第２糸切部材９１のうち第２切断刃９１４ｂを支持する支持台部９２１ｂを備えている。支持台部９２１ｂは、前後方向に沿って延びている壁状の部分であって、収容空間９２１ａに突出している。支持台部９２１ｂの上面は、第２切断刃９１４ｂの下面と接する支持面であるとともに、該支持面は、前下がりで傾斜している。
【０１１１】
本実施形態において、収容部９２１は、スリット９２２が下壁５６５ｃを貫通していることによって、第４通路部５３４及び第５通路部５３５に開口している。このため、第２糸切部材９１が収容空間９２１ａに収容されている状態において、切断刃９１４ａ，９１４ｂは、第４通路部５３４の下流側の端部であって、且つ、第５通路部５３５の上流側の端部において、スリット９２２から、これら通路部５３４，５３５に露出している。また、第２糸切部材９１が収容空間９２１ａに収容されている状態において、案内部９１１ａ，９１１ｂは、スリット９２２から、通路部５３４，５３５に露出している。また、第１通路部材５５と第２通路部材５６とを組み付けた状態において、第２通路部材５６側にある突出片５６５ｃ４は、第１通路部材５５側にある傾斜部５５３ｅの凹部５５３ｆに嵌め込まれている。
【０１１２】
固定部材９３について説明する。
固定部材９３は、糸切収容部９２（収容空間９２１ａ）に差し込まれた状態において、収容空間９２１ａの底面と固定部材９３との間で第２糸切部材９１を固定するための部材である。固定部材９３は、平面視において略四角形である板状の部材である。固定部材９３は、上流側縁部９３１と、反対側の下流側縁部９３２と、を備えている。上流側縁部９３１は、図中において矢印Ｙ４ｄ，Ｙ７ｆに示すように、第５通路部５３５内での遊技球の進行方向における上流側の縁部であり、下流側縁部９３２は、第５通路部５３５内での遊技球の進行方向における下流側の縁部である。
【０１１３】
固定部材９３は、上流側縁部９３１から下流側縁部９３２側へ向かって延びているとともに、且つ、固定部材９３を上下方向（厚さ方向）に貫通しているスリット９３３を備えている。したがって、スリット９３３は、第５通路部５３５内での遊技球の進行方向に沿って延びている。スリット９３３を挟んで相互に向かい合う縁部９３３ａ，９３３ａは、第５通路部５３５内での遊技球の進行方向における上流から下流側へ向かうほど相互に接近する先細りのＶ字型に配置されている。固定部材９３は、下面のうちスリット９３３の右側部分に、前下がりで傾斜している傾斜面９３４を備えている。
【０１１４】
固定部材９３が糸切収容部９２に差し込まれている状態において、第１切断刃９１４ａは、固定部材９３の下面のうちスリット９３３の左側部分と、糸切収容部９２における収容空間９２１ａの底面との間に挟まれている。固定部材９３が糸切収容部９２に差し込まれている状態において、第２切断刃９１４ｂは、固定部材９３の傾斜面９３４と、糸切収容部９２における支持台部９２１ｂの上面（支持面）との間に挟まれている。これにより、本実施形態の第２糸切部材９１は、屈曲部９１５において曲げられた状態を維持したまま、糸切収容部９２内に保持されている。
【０１１５】
固定部材９３が糸切収容部９２に差し込まれている状態では、平面視において、糸切収容部９２のスリット９２２と、固定部材９３のスリット９３３とが整合一致している。このため、第２糸切部材９１が収容空間９２１ａに収容されており、且つ、固定部材９３によって固定されている状態において、第２糸切部材９１の切断刃９１４ａ，９１４ｂは、ファール球通路５３の通路部５３４，５３５に露出している。また、固定部材９３によって固定されている状態において、第２糸切部材９１の案内部９１１ａ，９１１ｂは、ファール球通路５３の通路部５３４，５３５に露出している。また、第５通路部５３５内での遊技球の進行方向に沿ったスリット９２２の長さは、第５通路部５３５内での遊技球の進行方向に沿った切れ込み９１３（切断刃９１４ａ，９１４ｂ）の長さよりも長い。したがって、本実施形態では、糸状体を切断可能な部分の全体がファール球通路５３の通路部５３４，５３５に露出する。また、糸切収容部９２（下壁５６５ｃ）は、第２糸切部材９１の一部を被覆する被覆部に相当する。
【０１１６】
以上のように、切断刃９１４（切断刃９１４ａ，９１４ｂ）を有する第２糸切部材９１は、ファール球通路５３（通路部５３４，５３５）に臨むように設けられている。換言すれば、第２糸切部材９１は、球送りユニット７０から供給され発射装置３２から発射された遊技球が遊技領域６１に到達することなくファール球として上球皿４３２へ返却される迄の球通路に臨むように設けられているといえる。
【０１１７】
本実施形態の固定部材９３は、糸切収容部９２に対して挿抜が可能に構成されている。したがって、例えば、第２糸切部材９１を交換したり、メンテナンスが容易にできる。なお、固定部材９３は、糸切収容部９２に対して挿抜が不能に固定されていてもよい。例えば、固定部材９３は、糸切収容部９２に対して、ネジや接着剤などによって固定されているとよい。
【０１１８】
次に、ファール球通路５３における遊技球ＹＫの流下態様について説明する。
図１１、及び図１４〜図１６に示すように、ファール球としての遊技球ＹＫは、落下領域６３ａからファール球受入口５３ａに流入する（矢印Ｙ２に示す）。ファール球受入口５３ａから流入した遊技球は、ファール球通路５３のうち第１通路部５３１によって受け入れられるとともに、右下方へ流下する（矢印Ｙ７ａに示す）。第１通路部５３１の右下端部に到達した遊技球は、右壁５５３ｇによって前方へ案内され、第２通路部５３２の右上端部に流入する（矢印Ｙ７ｂに示す）。第２通路部５３２の右上端部に流入した遊技球は、第２通路部５３２内を左下方へと流下し、第３通路部５３３に流入する（矢印Ｙ７ｃに示す）。第３通路部５３３に流入した遊技球は、該第３通路部５３３によって後方へと案内され、第４通路部５３４の左上端部に流入する（矢印Ｙ７ｄに示す）。第３通路部５３３の連結口５３３ａから第４通路部５３４へと流入した遊技球は、第４通路部５３４内を右下方へと流下し、第５通路部５３５に流入する（矢印Ｙ７ｅに示す）。第５通路部５３５に流入した遊技球は、該第５通路部５３５によって前方へと案内され、下球送出口５２ｂに到達する（矢印Ｙ７ｆに示す）。このように、遊技領域６１に到達しなかった遊技球ＹＫは、ファール球通路５３によって下球皿４３５へ返却されるようになっている。
【０１１９】
以上のように、本実施形態のファール球通路５３は、所定の軸線としての螺旋軸ＲＣのまわりを旋回しながら下方に向かって延びている螺旋状の通路である。そして、ファール球通路５３内において、遊技球は、螺旋軸ＲＣのまわりを旋回しながら下方に向かって流下するようになっている。本実施形態において、第４通路部５３４及び第５通路部５３５は、遊技球の進行方向を右方向から前方向へと変更する変更部に相当する。即ち、本実施形態において、右方向が第１方向に相当し、前方向が第２方向に相当する。そして、本実施形態の第２糸切部Ｃ２は、螺旋軸ＲＣ上、又は螺旋軸ＲＣの近傍に設けられている。即ち、切断刃９１４ａ，９１４ｂは、螺旋軸ＲＣ上、又は螺旋軸ＲＣの近傍に開口しているといえる。
【０１２０】
次に、遊技球ＹＫに糸状体ＩＴが接続されている場合であって、該糸状体ＩＴが接続された遊技球ＹＫがファール球通路５３を流下するときの、糸状体ＩＴの移動態様について説明する。例えば、糸状体は、天然繊維や合成繊維からなる単糸又は撚糸であってもよく、ピアノ線のような金属線であってもよい。
【０１２１】
図１９に示すように、ファール球受入口５３ａに落下した遊技球ＹＫは、ファール球通路５３内を位置Ｐ７ａ→Ｐ７ｂ→Ｐ７ｃ→Ｐ７ｄ→Ｐ７ｅ→Ｐ７ｆの順に、螺旋状に流下する。なお、位置Ｐ７ｆは、位置Ｐ７ｅの前方にある。図中において矢印Ｙ８ａに示すように、糸状体ＩＴは、遊技球ＹＫが第２通路部５３２を流下することに伴って、傾斜部５５３ｅの前方を位置Ｐ７ｂから位置Ｐ７ｃへと、左方に向かって牽引され、移動する。図中において矢印Ｙ８ｂに示すように、糸状体ＩＴは、遊技球ＹＫが位置Ｐ７ｃからＰ７ｄへと、第３通路部５３３内を後方に向かって流下し、さらに第４通路部５３４に流入することに伴って、下方へ向かって牽引され、傾斜部５５３ｅと下壁５６５ｃとの隙間５７に入り込む。
【０１２２】
図中において矢印Ｙ８ｃに示すように、糸状体ＩＴは、遊技球ＹＫが位置Ｐ７ｄから位置Ｐ７ｅへと、第４通路部５３４内を右方に向かって流下することに伴って、右方へ向かって牽引され、第２糸切部Ｃ２のうち、切断刃９１４が露出している部分の近傍へと移動する。このとき、糸状体ＩＴは、遊技球ＹＫが平面視において傾斜部５５３ｅの先端部よりも後方に位置していることから、左右方向に沿って延びている傾斜部５５３ｅの先端部に沿って、右方へと移動する。即ち、本実施形態の傾斜部５５３ｅ（前端部）は、遊技球ＹＫに糸状体ＩＴが接続されていると仮定した場合、遊技球がファール球通路５３を進行するときに、該遊技球ＹＫに接続された糸状体ＩＴを第２糸切部Ｃ２へ案内可能に構成されているといえる。したがって、傾斜部５５３ｅ（前端部）は、糸状体ＩＴを案内する案内部に相当する。そして、傾斜部５５３ｅは、ファール球通路５３の壁部の一部であることから、案内部のうち第１案内部に相当する。案内部として機能する傾斜部５５３ｅの先端部は、糸状体を螺旋軸ＲＣ側に向かって案内しているともいえる。
【０１２３】
図１８及び図１９において、矢印Ｙ８ｄに示すように、糸状体ＩＴは、遊技球ＹＫが位置Ｐ７ｅから位置Ｐ７ｆへと、第５通路部５３５内を前方に向かって流下することに伴って、前方に向かって牽引され、第１切断刃９１４ａと第２切断刃９１４ｂとの間に入り込む。
【０１２４】
詳しく説明すると、図１８に示すように、糸状体ＩＴは、まずスリット９２２，９３３に入り込む。このとき、糸状体ＩＴは、スリット９２２の左側にある誘導面５６５ｃ５によって、スリット９２２，９３３へと滑らかに案内される。また、図中において矢印Ｙ８ｃに示すように、傾斜部５５３ｅに沿った糸状体ＩＴの進行方向の前方にある突出片５６５ｃ４によって、糸状体ＩＴが左方向へとスリット９２２，９３３を通り過ぎてしまうことが規制されている。
【０１２５】
そして、スリット９２２，９３３に入り込んだ糸状体ＩＴは、第１切断刃９１４ａに設けられた左案内部９１１ａ、及び第２切断刃９１４ｂに設けられた右案内部９１１ｂによって、第１切断刃９１４ａと第２切断刃９１４ｂの隙間（切れ込み９１３）に案内される。即ち、案内部９１１ａ，９１１ｂは、遊技球ＹＫに糸状体ＩＴが接続されていると仮定した場合、遊技球がファール球通路５３を進行するときに、該遊技球ＹＫに接続された糸状体ＩＴを第２糸切部Ｃ２のなかでも切断刃９１４ａ，９１４ｂへ案内可能に構成されているといえる。したがって、案内部９１１ａ，９１１ｂは、糸状体ＩＴを案内する案内部に相当する。そして、案内部９１１ａ，９１１ｂは、第２糸切部材９１の一部であることから、案内部のうち第２案内部に相当する。
【０１２６】
そして、糸状体ＩＴは、図中において矢印Ｙ４ｄ，Ｙ７ｆに示す方向へと遊技球が進行することに伴って、先細りのＶ字形に配置された切断刃９１４ａ，９１４ｂの間に深く入り込み、最終的に切断刃９１４ａ，９１４ｂによって切断される。仮に、遊技球ＹＫによる糸状体ＩＴの牽引だけでは、糸状体ＩＴが切断されなかった場合であっても、不正な遊技者が糸状体を前方に引き寄せたときに、糸状体ＩＴが切断されるようになっている。
【０１２７】
次に、パチンコ遊技機１０の電気的構成について説明する。
パチンコ遊技機１０は、遊技盤６０の後側に、図示しない主制御基板を備えている。主制御基板は、演算ユニットとメモリを備えている。主制御基板の演算ユニットは、メモリに記憶されたプログラムを実行することで各種の処理を行い、該処理の結果に応じたコマンド（制御情報）を主制御基板から出力させる。
【０１２８】
また、パチンコ遊技機１０は、遊技盤６０の後側に、副制御基板を備えている。副制御基板は、演算ユニットとメモリを備えている。副制御基板の演算ユニットは、メモリに記憶されたプログラムを実行することで、主制御基板から入力したコマンドに基づいて所定の演出を実行させる制御を行う。例えば、副制御基板の演算ユニットは、パネルユニット４２，４３による発光演出、スピーカユニット４５，４６による音声演出、演出表示ディスプレイ６５による表示演出を実行させる。
【０１２９】
本実施形態において、パネルユニット４２，４３は、発光演出手段として、スピーカユニット４５，４６は、音声演出手段として、演出表示ディスプレイ６５は、表示演出手段として把握できる。即ち、本実施形態では、パネルユニット４２，４３、スピーカユニット４５，４６、及び演出表示ディスプレイ６５は、１又は複数の演出手段から構成された演出実行手段として把握できる。
【０１３０】
パチンコ遊技機１０は、遊技盤６０の後側に、発射制御基板６９を備えている。発射制御基板６９は、発射ハンドル４８１と接続されている。発射制御基板６９は、発射ハンドル４８１がその操作量に応じて出力する操作信号を入力可能に構成されている。
【０１３１】
発射制御基板６９は、球送りユニット７０の電磁石７９と接続されている。発射制御基板６９は、電磁石７９の通電状態を制御可能に構成されている。発射制御基板６９は、発射装置３２のモータ３２７と接続されている。発射制御基板６９は、モータ３２７に対して所定の信号を出力することによって、モータ３２７を駆動させ、ハンマー部材３２６を打撃姿勢Ｐ２ａと初期姿勢Ｐ２ｂとに動作させることが可能である。
【０１３２】
発射制御基板６９は、発射ハンドル４８１から操作信号を入力すると、モータ３２７を制御し、単位時間あたりの発射数が所定数（例えば、１００球／分）となるように、ハンマー部材３２６を打撃姿勢Ｐ２ａと初期姿勢Ｐ２ｂとに交互に繰り返し動作させる。また、発射制御基板６９は、入力した操作信号から特定可能な操作量に対応した強度で遊技球が発射されるように、モータ３２７を制御する。また、発射制御基板６９は、発射ハンドル４８１から操作信号を入力すると、ハンマー部材３２６による打撃動作と連動させるように、電磁石７９を通電状態と非通電状態とに切り替えるように制御し、遊技球を球送りユニット７０から発射装置３２へと１球ずつ供給する。発射制御基板６９は、発射ハンドル４８１から操作信号を入力しなくなると、モータ３２７を制御し、遊技球の発射を停止させる。発射制御基板６９は、発射ハンドル４８１から操作信号を入力しなくなると、電磁石７９を制御し、遊技球の供給を停止させる。
【０１３３】
したがって、本実施形態のパチンコ遊技機１０は、次の効果を有する。
（１）本実施形態によれば、ファール球通路５３には、糸状体を切断可能な第２糸切部材９１が臨んでおり、さらに、傾斜部５５３ｅの先端部は、糸状体が接続された遊技球がファール球通路５３内を進行するときに、糸状体を第２糸切部材９１へ案内可能に構成されている。したがって、特定の手順を踏むゴト行為が行われたとしても、糸状体を切断することができる。
【０１３４】
ここで、特定の手順としては、次のようなことが考えられる。例えば、２つの遊技球を糸状体で接続した状態にて、１つめの遊技球をごく弱く打ち出すことで、意図的にファール球とする。このとき、糸状体は、第１糸切部材８６の切断刃８６４に接触しても切断までは至らず、切断刃８６４ａ，８６４ｂに挟まった状態となる可能性がある。この状態のまま、２つめの遊技球を打ち出した場合には、２つめの遊技球が遊技領域６１に到達したとしても、糸状体は切断刃８６４からはずれるだけであって、切断されない状況が発生し得る。その後、ゴト行為を行う者は、ファール球として返却された１つめの遊技球から糸状体を回収し、該糸状体を操作することが可能である。
【０１３５】
本実施形態では、ファール球通路５３に臨んでいる第２糸切部材９１と、糸状体を第２糸切部材９１へ案内可能な案内部と、を備えることで、糸状体を切断可能である。したがって、本実施形態では、上記のようなゴト行為を抑制できる。
【０１３６】
（２）本実施形態によれば、遊技球の進行方向を変更する変更部を構成している第４通路部５３４に、案内部となる傾斜部５５３ｅの先端部を設けてあることから、該変更部において、糸状体を第２糸切部材９１へ案内することが可能になる。
【０１３７】
（３）本実施形態によれば、第２糸切部材９１における切断刃９１４ａ，９１４ｂの先端部同士の離間距離は、第２糸切部材９１の上流側縁部９１１から下流側縁部９１２側へ向かって小さくなっていることから、切断刃９１４ａ，９１４ｂの間に入った糸状体を切断し易くできる。
【０１３８】
（４）本実施形態によれば、第２切断刃９１４ｂを他方の第１切断刃９１４ａの板面と直交する方向に沿って曲げることにより、第２糸切部材９１が形成されていることから、切断刃９１４ａ，９１４ｂの間に入った糸状体をさらに切断し易くできる。
【０１３９】
（５）本実施形態によれば、糸切収容部９２（下壁５６５ｃ）によって、第２糸切部材９１が被覆されており、スリット９２２において切断刃９１４ａ，９１４ｂが露出していることから、作業者が誤って切断刃９１４ａ，９１４ｂに触れてしまうことを抑制できる。
【０１４０】
（６）本実施形態によれば、傾斜部５５３ｅの先端部によって糸状体を第２糸切部材９１へと案内し、さらに第２糸切部材９１に設けられた案内部９１１ａ，９１１ｂによって、糸状体を切断刃９１４ａ，９１４ｂへと案内する。したがって、糸状体を切断し易くできる。
【０１４１】
（７）本実施形態によれば、スリット９２２の長さは切れ込み９１３（切断刃９１４ａ，９１４ｂ）の長さよりも長いことから、糸状体が糸切収容部９２に接触して切断し難くなることを抑制できる。
【０１４２】
（８）本実施形態によれば、切断刃９１４ａ，９１４ｂは、第２糸切部材９１が臨むように設けられた部分よりも下流側である第５通路部５３５内での遊技球の進行方向に沿って延びていることから、切断刃９１４ａ，９１４ｂの間に入った糸状体を切断し易くできる。
【０１４３】
（９）本実施形態によれば、ファール球通路５３は螺旋状の通路である。螺旋状の通路を流下する際には、遊技球に接続された糸状体が螺旋軸ＲＣ（旋回中心）へと集まり易くなる。そして、この旋回中心となる螺旋軸ＲＣの軸線上、又はその近傍に第２糸切部材９１を設けることで、糸状体を容易に切断できる。
【０１４４】
（１０）本実施形態によれば、ファール球通路５３と溢れ球通路５２とは一部が兼用されている。したがって、球通路が複雑化することを抑制できる。
（１１）本実施形態によれば、第１糸切部Ｃ１によって、遊技球の発射時に糸状体を切断できることに加えて、第２糸切部Ｃ２によって、ファール球とされた遊技球に接続された糸状体を切断できる。したがって、パチンコ遊技機１０に対する不正行為を効果的に抑制できる。
【０１４５】
（１２）本実施形態によれば、第２糸切部材９１は、第１下払出口４３５ｂに隣接している第５通路部５３５に臨むように設けられている。下球皿４３５に返却された遊技球から糸状体を回収し、該糸状体を牽引して操作しようとする場合、糸状体は、第５通路部５３５が延びている方向（前後方向）に沿って移動する。前述のように、切断刃９１４ａ，９１４ｂは、第５通路部５３５が延びている方向（前後方向）に沿って延びている。したがって、糸状体が牽引された場合にも、効果的に糸状態を切断できる。
【０１４６】
（１３）本実施形態によれば、スリット９２２の幅は、遊技球の直径よりも短く、且つ、糸状体の直径（太さ）よりも長い。このため、遊技球がスリット９２２の中に入り込んで第２糸切部材９１に接触することがない。したがって、切断刃９１４ａ，９１４ｂを保護できる。
【０１４７】
（１４）本実施形態によれば、切断刃９１４ａ，９１４ｂの開口部は、遊技球の直径よりも小さく、且つ、糸状体の直径（太さ）よりも大きい。このため、切断刃９１４ａ，９１４ｂの間に遊技球が入り込むことによって、糸状体が切断できなくなることを抑制することができる。
【０１４８】
例えば、上記実施形態は、次のように別の実施形態に変更してもよい。
・糸切部材８６，９１のうち一方又は両方は、複数の金属板を組み合わせて形成されていてもよい。この場合、糸切部材８６，９１は、第１切断刃９１４ａを有する第１金属板と、第２切断刃９１４ｂを有する第２金属板とを重ね合わせることで形成するとよい。本別例によれば、切断刃を有する金属板を重ね合わせることで、簡便に第１糸切部材８６や第２糸切部材９１を形成できる。
【０１４９】
・糸切部材８６，９１の形状は適宜変更してもよい。例えば、第２糸切部材９１は、第１糸切部材８６と同形状であってもよい。
・第２糸切部材９１は、その全体がファール球通路５３に露出していてもよい。即ち、第２糸切部材９１は、被覆部に覆われていなくてもよい。この場合、第２糸切部材９１は、第１糸切部材８６と同様に、ファール球通路５３の内壁面と、ネジなどの固定手段によって固定されているとよい。
【０１５０】
・第２糸切部材９１の切れ込み９１３は、線状である必要はなく、所定の幅を有していてもよい。例えば、切断刃９１４ａ，９１４ｂの先端部同士の離間距離は、遊技球の直径の１倍以上であってもよい。
【０１５１】
・糸切部材８６，９１の一方又は両方は、第１切断刃９１４ａ及び第２切断刃９１４ｂのうち一方を省略してもよい。この場合であっても、切断刃が十分に鋭利であれば、糸状体を切断できる。
【０１５２】
・パチンコ遊技機１０は、第１糸切部Ｃ１を備えていなくてもよい。また、第１糸切部Ｃ１は、発射装置３２側に設けられていてもよい。
・第２糸切部Ｃ２の配設位置は、ファール球通路５３内であれば適宜変更してもよい。即ち、ファール球通路５３に第２糸切部材９１が臨むように設けられておればよい。
【０１５３】
・第２糸切部Ｃ２において、案内部９１１ａ，９１１ｂ、突出片５６５ｃ４、誘導面５６５ｃ５、及び支持台部９２１ｂのうちの一部又は全部は、省略してもよい。
・第２糸切部Ｃ２において、固定部材９３は、省略してもよい。この場合、第２糸切部材９１は、糸切収容部９２に対して、ネジや接着剤などによって固定されているとよい。
【０１５４】
・ファール球通路５３は、螺旋状の通路でなくてもよい。例えば、ファール球通路５３は、ファール球受入口５３ａと、第４通路部５３４の左端部（上流側端部）とを繋いでいる第６通路部と、上述した通路部５３４，５３５と、から構成された通路であってもよい。この場合、ファール球通路５３は、全体として略Ｌ字型の通路となる。
【０１５５】
・パチンコ遊技機１０は、落下領域６３ａとファール球受入口５３ａとを繋いでいる球通路を備えていてもよい。
・ファール球通路５３は、他の球通路と兼用されていなくてもよい。即ち、ファール球通路５３は、全体が専用通路であってもよい。
【０１５６】
・球通路ユニット５０は、払出し球通路５１及び溢れ球通路５２のうち一方又は両方を備えていなくてもよい。
・球通路ユニット５０は、下球皿４３５に貯留されている遊技球が所定量を超えていることを検知するための満杯センサを備えていてもよい。例えば、満杯センサは、溢れ球通路５２に滞留している遊技球の自重によって押し込まれるスイッチであってもよい。
【０１５７】
・球通路ユニット５０は、中枠体３０に取り付けられていてもよい。
・パチンコ遊技機１０は、下球皿４３５を備えていなくてもよい。この場合、ファール球通路５３は、上払出口４３２ｂに繋がっているとよい。
【０１５８】
以下に示す技術的思想は、上記実施形態から把握できる。
（イ）前記特定の球通路は、遊技球の進行方向を第１方向から前記第１方向とは異なる第２方向に変更する変更部を有しており、前記案内部は、前記変更部に設けられている。
【０１５９】
（ロ）前記切断部は、一方の縁部から他方の縁部側へ向かって延びている隙間と、前記隙間の一方の縁部に設けられた第１切断刃と、前記隙間の他方の縁部に設けられた第２切断刃と、を備え、前記第１切断刃と前記第２切断刃の先端部同士の離間距離は、前記一方の縁部から他方の縁部側へ向かって小さくなっている。
【０１６０】
（ハ）前記切断部は、前記第１切断刃及び前記第２切断刃のうち、一方の切断刃を他方の切断刃の板面と直交する方向に沿って曲げることで形成されている。
（ニ）前記切断部は、前記第１切断刃を有する第１金属板と、前記第２切断刃を有する第２金属板とを重ね合わせることで形成されている。
【０１６１】
（ホ）遊技球の貯留部と、遊技球を発射する発射部と、遊技球を所定数ずつ前記発射部へ供給する供給部と、糸状体を切断可能な切断部と、糸状体を案内する案内部と、を備え、前記切断部は、前記供給部から供給され前記発射部から発射された遊技球が遊技領域に到達することなくファール球として前記貯留部へ返却される迄の球通路に臨むように設けられており、前記案内部は、遊技球に糸状体が接続されていると仮定した場合、遊技球が前記球通路内を進行するときに、該遊技球に接続された糸状体を前記切断部へ案内可能に構成されている。
【符号の説明】
【０１６２】
Ｃ１…第１糸切部、Ｃ２…第２糸切部、ＣＲ…螺旋軸、ＹＫ…遊技球、ＩＴ…糸状体、１０…パチンコ遊技機、３２…発射装置、４３…下部パネルユニット、４３５…下球皿、５０…球通路ユニット、５５…第１通路部材、５５３ｅ…傾斜部、５１…払出し球通路、５２…溢れ球通路、５３…ファール球通路、５３１…第１通路部、５３２…第２通路部、５３３…第３通路部、５３４…第４通路部、５３５…第５通路部、７０…球送りユニット、９１…第２糸切部材、９１１…上流側縁部、９１１ａ…左案内部、９１１ｂ…右案内部、９１２…下流側縁部、９１３…切れ込み、９１４ａ…第１切断刃、９１４ｂ…第２切断刃、９２…糸切収容部、９２２…スリット。
【図１】
2018057751.tif 000003
【図２】
2018057751.tif 000004
【図３】
2018057751.tif 000005
【図４】
2018057751.tif 000006
【図５】
2018057751.tif 000007
【図６】
2018057751.tif 000008
【図７】
2018057751.tif 000009
【図８】
2018057751.tif 000010
【図９】
2018057751.tif 000011
【図１０】
2018057751.tif 000012
【図１１】
2018057751.tif 000013
【図１２】
2018057751.tif 000014
【図１３】
2018057751.tif 000015
【図１４】
2018057751.tif 000016
【図１５】
2018057751.tif 000017
【図１６】
2018057751.tif 000018
【図１７】
2018057751.tif 000019
【図１８】
2018057751.tif 000020
【図１９】
2018057751.tif 000021